(57)【特許請求の範囲】
【請求項１】
扉に固定される縦長のハンドル本体の表側に、手前方向に引き起こし可能に取手を枢着し、この取手とリンク機構を介して連結された係止爪が箱本体の係止片を締め付けクランプするハンドル装置であって、この係止爪をハンドル本体に対して下向きのみに設け、係止爪が箱本体の係止片を上方から挟みつけるように締め付けクランプする構造としたことを特徴とするハンドル装置。
【請求項２】
ハンドル本体の上下の取付位置の略中央に、係止爪を配置したことを特徴とする請求項１に記載のハンドル装置。
【請求項３】
取手の先端部裏面に、取手を引き起こしたときにハンドル本体と当接する引き起こし角度規制部を形成したことを特徴とする請求項１に記載のハンドル装置。
【請求項４】
ハンドル本体の扉への取付面よりも内側に、リンク機構の軸ピンを位置させたことを特徴とする請求項１に記載のハンドル装置。
【請求項５】
ハンドル本体の扉への取付面に沿うように、リンク機構の軸ピンを位置させたことを特徴とする請求項４に記載のハンドル装置。
【発明の詳細な説明】
【技術分野】
【０００１】
本発明は、電気電子機器収納用キャビネット等の扉の鎖錠に用いられるハンドル装置に関するものである。
【背景技術】
【０００２】
電気電子機器収納用キャビネット等の扉の鎖錠装置として、特許文献１、特許文献２に示されるようなリンク式のハンドル装置が広く用いられている。リンク式のハンドル装置は、ハンドル本体の表側に枢着された取手を操作することにより、裏面側の係止爪がリンク機構を介して箱本体の係止片を締め付けクランプする構造であり、強固な締付け力を得ることができるので扉を箱本体に強く密着させることができ、優れた防水性を確保できる利点がある。
【０００３】
このようなリンク式のハンドル装置には、特許文献１に示されるように係止爪を上向きに設けたものと、特許文献２に示されるように上向きの係止爪と下向きの係止爪とを設けたものがある。しかしいずれのものにおいても、上向きの係止爪が箱本体の係止片を締め付けクランプする際に、ハンドル装置には下向きの反力が作用し、ハンドル装置が固定されている扉を箱本体に対して押下げる。扉は自重により元々垂れ下がる傾向にあるため、この反力により扉の垂れ下がりが更に助長される。このため、扉の下端部やそれに対向する箱本体側に扉の垂れ下がり防止用のブッシュを取付けるなどの対応が必要であった。
【０００４】
また、電気電子機器収納用キャビネット等の扉には右開きと左開きの２種類があるが、製造コストの点からは箱本体と扉とを上下反転させ、ハンドル装置のみを上下逆に付け替えて対応できるようにすることが好ましい。しかし、従来のハンドル装置では箱本体の係止片の位置が右開きと左開きとで異なるので、２個の係止片を使用するか、あるいは係止片を交換しなければならず、作業性が悪く、製造コストの上昇原因となっていた。
【０００５】
さらに、特許文献１のハンドル装置では係止爪が上側にあるので箱本体との締め付け部が扉に対して上方に偏った位置となり、アンバランスとなるという問題があった。なお特許文献２のハンドル装置はこのような問題はないものの、構造が複雑化するため製造コストの増加を招くという問題があった。
【先行技術文献】
【特許文献】
【０００６】
【特許文献１】特許第３５６０３２３号公報
【特許文献２】特開２０１１−１６８９８６号公報
【発明の開示】
【発明が解決しようとする課題】
【０００７】
従って本発明の主な目的は上記した従来の問題点を解決し、ハンドル装置によるクランプを行なうことによって扉が押し下げられることがなく、扉の垂れ下がり防止用のブッシュを取付ける必要がないハンドル装置を提供することである。また本発明のその他の目的は、扉の開き方向を左右逆にする場合にも、組み換えの容易なハンドル装置を提供することである。
【課題を解決するための手段】
【０００８】
上記の課題を解決する為になされた本発明は、扉に固定される縦長のハンドル本体の表側に、手前方向に引き起こし可能に取手を枢着し、この取手とリンク機構を介して連結された係止爪が箱本体の係止片を締め付けクランプするハンドル装置であって、この係止爪をハンドル本体に対して下向きのみに設け、係止爪が箱本体の係止片を上方から挟みつけるように締め付けクランプする構造としたことを特徴とするものである。
【０００９】
なお請求項２のように、ハンドル本体の上下の取付位置の略中央に、係止爪を配置することが好ましく、請求項３のように、取手の先端部裏面に、取手を引き起こしたときにハンドル本体と当接する引き起こし角度規制部を形成することが好ましい。
【００１０】
また請求項４のように、ハンドル本体の扉への取付面よりも内側に、リンク機構の軸ピンを位置させた構造とすることが好ましく、請求項５のようにハンドル本体の扉への取付面に沿うように、リンク機構の軸ピンを位置させることが好ましい。
【発明の効果】
【００１１】
請求項１のハンドル装置は、従来と同様に扉を箱本体に締め付けクランプすることができるものであるが、従来とは異なり係止爪をハンドル本体に対して下向きのみに設けたことにより、ハンドル装置によるクランプを行なう際に扉は持ち上げられる方向の反力を受ける。このため従来のように、扉の垂れ下がり防止用の部品を設ける必要がない。
【００１２】
請求項２のハンドル装置は、ハンドル本体の上下の取付位置の略中央に係止爪を配置したので、扉の開き方向を左右逆にするためにハンドルを上下逆に付け替えた場合にも、係止爪の位置が変わらない。従って箱本体側の係止片の位置も変える必要がなくなり、組み換え性が容易となる。
【００１３】
請求項３のハンドル装置は、取手の先端部裏面に引き起こし角度規制部を形成したので、取手の開閉角度を確実に規制することができる。
【００１４】
請求項４のハンドル装置は、表面側にリンク機構の軸ピンがないため安全であるうえ、美観にも優れるという利点がある。
【００１５】
請求項５のハンドル装置は、リンク機構の軸ピンの両端部が扉側の部材により押えられ、外れにくくなるという利点がある。
【図面の簡単な説明】
【００１６】
【図１】本発明のハンドル装置を電気電子機器収納用キャビネットに取付けた状態を示す斜視図である。
【図２】ハンドル取付位置における縦断面図である。
【図３】取手を閉じた状態の斜視図である。
【図４】取手を閉じた状態の正面図である。
【図５】取手を引き起こした状態の斜視図である。
【図６】取手を引き起こした状態の正面図である。
【図７】係止爪の位置を示す正面図である。
【図８】引き起こし角度規制部を示す背面斜視図である。
【図９】扉への取付状態を示す断面図である。
【発明を実施するための形態】
【００１７】
以下に本発明の好ましい実施形態を示す。
図１は本発明のハンドル装置を電気電子機器収納用キャビネットに取付けた状態を示す斜視図であり、図２はハンドル取付位置における縦断面図である。これらの図において、１は電気電子機器収納用キャビネットの箱本体、２はその扉である。図１に示すように、扉２は左側を蝶番３により箱本体１に枢着された右開き扉である。扉２の右端部には本発明の縦長のハンドル装置が、上下方向に取付けられている。また箱本体１の右端部にはハンドル装置のための係止片４が設けられている。
【００１８】
図３から図６に本発明のハンドル装置の構造を示す。これらの図において、１０は扉に固定される縦長のハンドル本体である。ハンドル本体１０は角枠状のもので、取手１１が手前方向に引き起こし可能に枢着されている。取手１１を枢着している軸ピン１２はハンドル本体１０の上端付近にある。またハンドル本体１０の裏面側には、係止爪１３が下向きのみに設けられている。係止爪１３はその上部を軸ピン１４によってハンドル本体１０に枢着されている。なおこの軸ピン１２と軸ピン１４の位置については後述する。
【００１９】
図４に示されるように、取手１１の裏面と係止爪１３とは、リンクプレート１５によって連結されてリンク機構を構成している。すなわち、取手１１とリンクプレート１５とはリンクピン１７により連結され、リンクプレート１５と係止爪１３とはリンクピン１８により連結されている。図５、図６のように取手１１を手前方向に引き起すと、リンクプレート１５が係止爪１３を上方に回転させる。逆に図３、図４のように取手１１をハンドル本体１０側に倒すと、リンクプレート１５が係止爪１３を下方に回転させ、図２に示したように係止爪１３は箱本体１の係止片４を上方から挟みつけるように締め付けクランプする。
【００２０】
このためクランプ操作の際には、ハンドル装置は箱本体１の係止片４から上向きの反力を受け、ハンドル装置が固定されている扉２は箱本体１に対して押し上げられる。従って従来のような扉２の垂れ下がり防止用の部品を設ける必要がなくなる。
【００２１】
本実施形態においては、図７に示すようにハンドル本体１０の上下の取付位置１９、２０の略中央に係止爪１３が配置されている。前記したように、同一形状の扉２を右開き用と左開き用との両方に使用するには、箱本体１と扉２とを上下反転させるとともに、ハンドル装置は一旦取り外して上下を反転させて付け直す。このとき、係止爪１３の位置を上記のように設定しておけば、係止爪１３が噛み合う箱本体１側の係止片４の位置は変える必要がない。このため単にハンドル装置を上下反転させるだけで、対応することが可能となる。
【００２２】
なお図８に示すように、取手１１の先端部裏面には略台形の引き起こし角度規制部２１が突設されている。この引き起こし角度規制部２１は、取手１１を引き起こしたときにハンドル本体１０の裏面当接部２２と当接し、最大引き起こし角度を規制する役割を持つものである。
【００２３】
次に図９を参照しつつ、軸ピン１２と軸ピン１４の位置について説明する。
図９は扉２のパネル２３にハンドル装置を取付けた状態を示す断面図である。パネル２３には、予めハンドル装置取付用の角孔を形成しておくことはいうまでもない。この図に示すように、リンク機構の軸ピン１２と軸ピン１４はパネル２３へのハンドル本体１０の取付面よりも内側（扉２の内側）に位置し、リンク機構の全体も取付面よりも内側にある。このためハンドル装置の表側の露出部分である取手１１などは薄型に構成することができる。
【００２４】
また図９に示すように、ハンドル本体１０の扉２のパネル２３への取付面に沿うように、リンク機構の軸ピン１２、１４を位置させてある。このような構造とすることによって、軸ピン１２、１４の端部はパネル２３によって確実に抜け止めされ、繰り返し使用しても脱落するおそれがない。
【００２５】
なお、図５、図６に示されるように、取手１１は薄く構成されているが、その中間部分は強度を得るためにやや厚くなっている。
【００２６】
図５に示すように、ハンドル本体１０の下部には取手１１を引き起こす時に指が入るように空間部３０が形成されている。この空間部３０の上方にはシリンダー錠３１が設けられている。また取手１１の対応する位置には、シリンダー錠３１の操作孔３２が設けられている。さらに取手１１の裏面にはシリンダー錠３１の係止片３３との係合部が形成され、シリンダー錠３１によって取手１１を引き起こせないように鎖錠することができる。
【００２７】
ハンドル本体１０の表面側には、取手１１を収納するための凹部３４が形成されている。これによって取手１１の露出部分の厚みを薄くしている。ただ、リンクピン１８に軸支されるリンクプレート１５の箇所は凹部３４の内部に突出しており、これを避けるために取手１１の裏面は一部切り欠かれている。
【００２８】
以上に説明したように、本発明のハンドル装置は、従来と同様に扉２を箱本体１に締め付けクランプすることができるものであるが、係止爪１３を下向きのみに設けたので、扉２の垂れ下がりが防止され、垂れ下がり防止用の部品を設ける必要がない。またハンドル本体の上下の取付位置の略中央に係止爪１３を配置すれば、扉２の開き方向を左右逆にする際の組み換え作業性が容易となる利点がある。
【符号の説明】
【００２９】
１  箱本体
２  扉
３  蝶番
４  箱本体の係止片
１０  ハンドル本体
１１  取手
１２  軸ピン
１３  係止爪
１４  軸ピン
１５  リンクプレート
１７  リンクピン
１８  リンクピン
１９  取付位置
２０  取付位置
２１  引き起こし角度規制部
２２  裏面当接部
２３  扉のパネル
３０  空間部
３１  シリンダー錠
３２  操作孔
３３  シリンダー錠の係止片
３４  凹部
【図１】
0005978473.tif 000002
【図２】
0005978473.tif 000003
【図３】
0005978473.tif 000004
【図４】
0005978473.tif 000005
【図５】
0005978473.tif 000006
【図６】
0005978473.tif 000007
【図７】
0005978473.tif 000008
【図８】
0005978473.tif 000009
【図９】
0005978473.tif 000010